(57)【要約】【課題】フレーム及びテンプルの開閉状態の位置から、閉じたり、開いたりするには、それなりに力を要するとともに、一端、開閉した後には、ほぼ半自動的に開閉動作可能な眼鏡、及びそのような眼鏡の製造方法に関する。【解決手段】テンプルが、ヒンジ部を介して、フレームに対して連結されている眼鏡及びそのような眼鏡の製造方法であって、ヒンジ部が、第１部材と、それに回転支持される第２部材と、を有しており、かつ、第１部材の端面に、第１磁石が固定配置されているとともに、第２部材の端面に、第１磁石と磁力的に反発関係又は準反発関係となるように、第２磁石が固定配置されていることを特徴とする。【選択図】図５
2017173571.tif 000002
【特許請求の範囲】
【請求項１】
テンプルが、ヒンジ部を介して、フレームに対して連結されている眼鏡であって、
前記ヒンジ部が、第１部材と、当該第１部材に対して、回転支持される第２部材と、を有しており、
かつ、前記第１部材の端面に、第１磁石が固定配置されているとともに、前記第２部材の端面に、第１磁石と磁力的に反発関係又は準反発関係となるように、第２磁石が固定配置されていることを特徴とする眼鏡。
【請求項２】
前記第１磁石のＳ極又はＮ極を結ぶ中心軸と、前記第２磁石のＳ極又はＮ極を結ぶ中心軸とが、それぞれ軸方向に沿って眺めた場合に、一致しないように、前記第１磁石及び前記第２磁石が、相互に固定配置されていることを特徴とする請求項１に記載の眼鏡。
【請求項３】
前記第１部材の端面に、前記第１磁石のＳ極又はＮ極が存在する一方、前記第２部材の端面に、前記第２磁石のＳ極及びＮ極が存在しないように、前記第１磁石及び前記第２磁石が、相互に固定配置されていることを特徴とする請求項１又は２に記載の眼鏡。
【請求項４】
前記ヒンジ部が、ガイド部材を備えた前記第１部材と、当該ガイド部材に対して、回転支持されるとともに、前記ガイド部材に沿ってスライドする軸部を備えた前記第２部材と、を有していることを特徴とする請求項１〜３のいずれか一項に記載の眼鏡。
【請求項５】
前記第１磁石及び前記第２磁石が、それぞれ直方体又は円柱体であって、かつ、前記第１磁石の端面と、前記第２磁石の端面とが、対向配置してあることを特徴とする請求項１〜４のいずれか一項に記載の眼鏡。
【請求項６】
前記第１部材の端面と、前記第２部材の端面との間に、スペースが設けてあることを特徴とする請求項１〜５のいずれか一項に記載の眼鏡。
【請求項７】
前記第１磁石及び前記第２磁石が、それぞれの主成分が希土類磁石であって、かつ、表面に、ニッケル被覆が設けてあることを特徴とする請求項１〜６のいずれか一項に記載の眼鏡。
【請求項８】
テンプルが、ヒンジ部を介して、フレームに対して連結されている眼鏡の製造方法であって、下記工程（ａ）〜（ｄ）を含むことを特徴とする眼鏡の製造方法。
（ａ）前記テンプルを準備する工程
（ｂ）前記フレームを準備する工程
（ｃ）前記ヒンジ部が、第１部材と、それに対して回転支持される第２部材と、を有しており、かつ、前記第１部材の端面に、第１磁石が固定配置されているとともに、前記第２部材の端面に、第１磁石と磁力的に反発関係又は準反発関係となるように、第２磁石を固定配置する工程を含んでなる、前記ヒンジ部を構成する工程
（ｄ）前記テンプルと、前記フレームとを、前記ヒンジ部を介して、連結し、前記眼鏡とする工程
【発明の詳細な説明】
【技術分野】
【０００１】
本発明は、眼鏡及び眼鏡の製造方法に関する。
特に、ヒンジ部に固定配置した複数磁石の反発力等を利用し、フレーム及びテンプルの開閉状態の位置から、閉じたり、開いたりするには、それなりに力を要するとともに、一端、開閉した後には、ほぼ半自動的に開閉動作可能な（以下、単に、半自動開閉操作と称する場合がある。）眼鏡、及びそのような眼鏡の製造方法に関する。
【背景技術】
【０００２】
従来、磁石を利用したヒンジ部を設けた眼鏡が提案されている。
例えば、眼鏡の装着時、衝撃力によって、レンズ部材が、フレームから外れにくい眼鏡が提案されている（例えば、特許文献１参照）。
より具体的には、図８（ａ）に示すように、レンズ部材１０５を備えたフレーム１０２に、テンプル１０３が、第１ヒンジ部１０４によって開閉可能に設けられた眼鏡１００であって、所定の係止片１０７が、第２ヒンジ部１０８を介して、フレーム１０２に設けてあり、かつ、フレーム１０２及び係止片１０７との間に、一対の永久磁石１３８、１４３による磁気吸引力を発生させてなる眼鏡１００である。
【０００３】
また、掛け始めから、着用時に至るまで、優れた装用感を得ることができる、眼鏡の高フィッティング複合モダンが提案されている（例えば、特許文献２参照）。
より具体的には、図８（ｂ）に示すように、モダン本体部２０１に、可動パーツ２０２を、ヒンジ部２２１を介して、ベルクランプ式に枢結してなる眼鏡２００であって、モダン本体部２０１と、可動パーツ２０２のそれぞれに、一対の磁石２０３Ａ、２０３Ｂを、同磁極を対面せしめて、反発方向に付勢してなる眼鏡２００である。
【０００４】
さらに、眼鏡の装着時にはテンプルが外れにくい一方、テンプルが着脱可能な眼鏡が提案されている（例えば、特許文献３参照）。
より具体的には、図８（ｃ）に示すように、眼鏡のヒンジ部３００において、磁性材料からなる押しピン形状体３４０を介して、テンプル３１６の座繰り凹部３１５を有する雌コマ部３１０と、フレーム３２０に設けてある雄コマ部３２２を係止めしてなる眼鏡である。
【先行技術文献】
【特許文献】
【０００５】
【特許文献１】特開２００４−３２５５１２号公報（特許請求の範囲）
【特許文献２】特開２００８−１２２９１０号公報（特許請求の範囲）
【特許文献３】特開２００８−１２９５６６号公報（特許請求の範囲）
【発明の概要】
【発明が解決しようとする課題】
【０００６】
しかしながら、特許文献１の眼鏡の場合、フレーム及び係止片との間に、一対の永久磁石を設けて、それらの磁気吸引力を利用するだけであった。
したがって、上述した半自動開閉操作を行うことができず、眼鏡の使用時に、勝手に開閉状態となってしまい、操作しにくかったり、あるいは、装着感が低下したりする場合があった。
また、かかる眼鏡において、所定の係止片や第２ヒンジ部等の特別部材が設けてあることから、構造が複雑化し、かつ、製造コストが高くなるなどの問題も見られた。
【０００７】
また、特許文献２の眼鏡の場合、着用者の耳の付け根部分に沿って、軟接触可能とすることを意図しているのみであった。
したがって、上述した半自動開閉操作を行うことができず、眼鏡の使用時に、勝手に開閉状態となってしまい、操作しにくかったり、あるいは、装着感が低下したりする場合があった。
【０００８】
また、特許文献３の眼鏡の場合、構成上、ヒンジ部において、磁性材料からなる押しピン形状体を用いているのみであった。
したがって、上述した半自動開閉操作を行うことができず、眼鏡の使用時に、勝手に開閉状態となってしまい、操作しにくかったり、あるいは、装着感が低下したりする場合があった。
その上、磁性材料からなる押しピン形状体を精度良く形成するのが困難であって、円滑にヒンジ部が動作しないとともに、かかる押しピン形状体が、繰り返し動作させると損傷しやすいという問題が見られた。
【０００９】
そこで、本発明者は、鋭意検討した結果、眼鏡のヒンジ部において、磁石同士の反発力等を利用することにより、フレーム及びテンプルの最終的な位置から開閉する時には、比較的大きな力を要するとともに、一端、開閉した後には、特に力をいれずとも、ほぼ半自動的に開閉可能な眼鏡、すなわち、いわゆる「あがき動作」可能な眼鏡を提供できることを見出し、本発明を完成させたものである。
すなわち、本発明の目的は、簡易構造であっても、ヒンジ部に設けた複数の磁石の反発力等を利用して、フレームと、テンプルを半自動的に開閉可能とし、老人等であっても操作性や開閉操作が容易な眼鏡、及びそのような眼鏡の効率的な製造方法を提供することにある。
【課題を解決するための手段】
【００１０】
本願発明によれば、テンプルが、ヒンジ部を介して、フレームに対して連結されている眼鏡であって、ヒンジ部が、第１部材と、当該第１部材に対して、回転支持される第２部材と、を有しており、かつ、第１部材の端面に、第１磁石が固定配置されているとともに、第２部材の端面に、第１磁石と磁力的に反発関係又は準反発関係（磁石の中心軸がずれており、磁石同士が部分的に重なる範囲における反発関係）となるように、第２磁石が固定配置されていることを特徴とする眼鏡が提供され、上述した問題点を解決することができる。
すなわち、第１部材及び第２部材のそれぞれに設けてある第１磁石及び第２磁石の間に、同極性（Ｓ極同士又はＮ極同士）との間、あるいは、第１磁石のＳ極又はＮ極と、第２磁石の側面との間、すなわち、第２磁石における側面に位置する、Ｓ極又はＮ極の間であって、両端部から中間位置との間に、磁力的に、反発関係又は準反発関係が生じることになる。
したがって、第１部材及び第２部材は、所定距離までしか近接せず、反発方向又は準反発方向に沿って、それらを弾性的に付勢する態様とすることができる。
また、当該ヒンジ部において、所定の第１部材に対して、所定の第２部材が回転支持されている。
よって、眼鏡を構成した場合に、簡易構造であっても、ヒンジ部に設けた複数の磁石の反発力等を利用して、フレーム及びテンプルの最終的な位置から開閉時するには、それぞれ比較的大きな力を要するとともに、一端、開閉した後には、ほぼ半自動的に開閉可能な、いわゆる「あがき動作」可能な眼鏡を提供することができる。
【００１１】
また、本願発明の眼鏡を構成するにあたり、第１磁石のＳ極又はＮ極を結ぶ中心軸と、第２磁石のＳ極又はＮ極を結ぶ中心軸とが、それぞれ軸方向に沿って眺めた場合に、一致しないように、第１磁石及び第２磁石が、相互に固定配置されていることが好ましい。
このように構成することにより、第１磁石及び第２磁石の、相互の磁束密度に起因した、反発力等を、より大きな値とすることができる。したがって、第１磁石及び第２磁石が、より小型及び軽量の磁石であっても、所定の反発力等を得て、上述した半自動開閉操作を、さらに容易に行うことができる。
【００１２】
また、本願発明の眼鏡を構成するにあたり、第１部材の端面に、第１磁石のＳ極又はＮ極が存在する一方、第２部材の端面に、第２磁石のＳ極及びＮ極が存在しないように、第１磁石及び第２磁石が、相互に固定配置されていることが好ましい。
このように構成することにより、第１磁石及び第２磁石の、相互の磁束密度に起因した、反発力等を、さらに大きな値とすることができる。したがって、第１磁石及び第２磁石がより小型及び軽量の磁石であっても、所定の反発力等を、確実に得ることができ、ひいては、上述した半自動開閉操作を、さらに容易に行うことができる。
【００１３】
また、本願発明の眼鏡を構成するにあたり、ヒンジ部が、ガイド部材を備えた第１部材と、当該ガイド部材に対して、回転支持されるとともに、ガイド部材に沿ってスライドする軸部を備えた第２部材と、を有していることが好ましい。
すなわち、ヒンジ部が、所定の第１部材及び第２部材を有していることから、ガイド部材の長さと、それらの中をスライドする軸部との関係で、テンプル長さを、所定方向に沿って伸縮させることができ、ひいては、フレームと、テンプルとの間の距離についても弾性的に可変することができる。
よって、顔のサイズ、特に奥行き等が異なる人に対応しても、装着が容易で、かつフィット感に優れた眼鏡を提供することができる。
【００１４】
また、本願発明の眼鏡を構成するにあたり、第１磁石及び第２磁石が、それぞれ直方体又は円柱体であって、かつ、第１磁石の端面と、第２磁石の端面とが、対向配置してあることが好ましい。
このように構成することにより、第１磁石及び第２磁石の、相互の磁束密度に起因した、反発力等を制御することができるとともに、比較的大きな値とすることができる。また、このような形状の第１磁石及び第２磁石であれば、取り扱いが容易になって、それぞれ第１の端面及び第２の端面に対して、圧接によっても、接着剤等によっても、確実に、固定配置することができる。
【００１５】
また、本願発明の眼鏡を構成するにあたり、第１部材の端面と、第２部材の端面との間に、スペースが設けてあることが好ましい。
このように構成することにより、第１磁石及び第２磁石の、相互の磁束密度に起因した、反発力等を、所望範囲内の値に容易に調整することができる。
また、第１部材の端面と、第２部材の端面との間に、スペースが設けてあることにより、デザイン的にも、優れたものとすることができる。
【００１６】
また、本願発明の眼鏡を構成するにあたり、第１磁石及び第２磁石における主成分が、それぞれ希土類磁石であって、かつ、表面に、ニッケル被覆が設けてあることが好ましい。
このように希土類の永久磁石である希土類磁石を含んで構成することにより、フェライト磁石等と比較して、磁束密度を８キロガウス以上の高い値とすることができる。したがって、所定の反発力等を得るにあたり、第１磁石及び第２磁石を小型化及び軽量化することができる。
また、表面に、ニッケル被覆が設けてあることにより、錆び難くなって、磁束密度の変化を少なくし、ひいては相互の磁束密度に起因した、反発力の値を、比較的大きな値として、長期間にわたって維持することができる。
【００１７】
また、本願発明の別の態様は、テンプルが、ヒンジ部を介して、フレームに対して連結されている眼鏡の製造方法であって、下記工程（ａ）〜（ｄ）を含むことを特徴とする眼鏡の製造方法である。
（ａ）テンプルを準備する工程
（ｂ）フレームを準備する工程
（ｃ）ヒンジ部が、第１部材と、それに対して回転支持される第２部材と、を有しており、かつ、第１部材の端面に、第１磁石が固定配置されているとともに、第２部材の端面に、第１磁石と磁力的に反発関係又は準反発関係となるように、第２磁石を固定配置する工程を含んでなるヒンジ部を構成する工程
（ｄ）テンプルと、フレームとを、ヒンジ部を介して、連結し、眼鏡とする工程
すなわち、このように所定工程を実施することにより、第１部材及び第２部材のそれぞれに設けてある第１磁石及び第２磁石の間に、同極性（Ｓ極同士又はＮ極同士）、あるいは、第１磁石のＳ極又はＮ極と、第２磁石の側面との間に、磁力的に反発関係又は準反発関係が生じることになる。
したがって、第１部材及び第２部材は、所定距離までしか近接せず、反発方向又は準反発方向に沿って、それらを弾性的に付勢する態様とすることができる。
また、当該ヒンジ部において、所定の第１部材に対して、所定の第２部材が回転支持されている。
よって、眼鏡を構成した場合に、簡易構造であっても、ヒンジ部に設けた複数の磁石の反発力等を利用して、フレーム及びテンプルの最終的な位置から開閉時するには、それぞれ比較的力を要するとともに、一端、開閉した後には、ほぼ半自動的に開閉可能な、いわゆる「あがき動作」が可能な眼鏡を提供することができる。
【図面の簡単な説明】
【００１８】
【図１】図１（ａ）〜（ｂ）は、それぞれ眼鏡の正面図及び平面図である。
【図２】図２（ａ）〜（ｂ）は、それぞれヒンジ部を備えたテンプルの側面側及び非側面側を説明するために供する斜視図である。
【図３】図３（ａ）〜（ｃ）は、ヒンジ部を備えたテンプルの上面、側面、及び下面を説明するために供する図である。
【図４】図４（ａ）は、図３（ｂ）のＡ−Ａ切断線に沿って切断した場合、図４（ｂ）は、図３（ｃ）のＢ−Ｂ切断線に沿って切断した場合において、それぞれ切断面を矢印方向から見た断面図である。
【図５】図５（ａ）〜（ｂ）は、それぞれヒンジ部の回転支持動作（開状態と、閉状態）を説明するために供する図である（その１）。
【図６】図６（ａ）〜（ｃ）は、それぞれヒンジ部の回転支持動作（開状態及びその断面図と、閉状態）を説明するために供する図である（その２）。
【図７】図７（ａ）〜（ｄ）は、それぞれヒンジ部の変形例を説明するために供する図である。
【図８】図８（ａ）〜（ｃ）は、それぞれ従来の眼鏡のヒンジ部を説明するために供する図である。
【発明を実施するための形態】
【００１９】
［第１の実施形態］
本発明の第１の実施形態は、テンプルが、ヒンジ部を介して、フレームに対して連結されている眼鏡であって、ヒンジ部が、第１部材と、それに対して、回転支持される第２部材と、を有しており、かつ、第１部材の端面に、第１磁石が固定配置されているとともに、第２部材の端面に、第１磁石と磁力的に反発関係又は準反発関係となるように、第２磁石が固定配置されていることを特徴とする眼鏡である。
すなわち、ヒンジ部を構成する第１部材及び第２部材の対向する端面に対して、それぞれ固定配置してなる複数の磁石（第１磁石及び第２磁石）の反発力及び準反発力を利用して、フレームと、テンプルを半自動的に開閉可能とし、老人等であっても開閉が容易で、使いやすい眼鏡を効率的に製造することができる。
以下、本願発明の眼鏡に関する実施形態につき、便宜上、第１部材が、テンプルの端部から延設されているとともに、第２部材が、フレームの端部から延設されている例を想定し、具体的に説明する。
【００２０】
１．基本的構造
図１（ａ）〜（ｂ）に、基本的構造としての眼鏡１０の正面図及び平面図をそれぞれ示すが、これらの図面に示されるように、テンプル１２が、ヒンジ部１６を介して、フレーム１４に対して連結されている眼鏡１０である。
すなわち、ヒンジ部１６が、第１部材１６ａと、当該ガイド部材１６ｇに対して、回転支持されるために、軸部１６ｆを備えた第２部材１６ｂと、を有している。
そして、第１部材１６ａの端面１９ａに、第１磁石１６ｃが、固定配置されているとともに、第２部材１６ｂの端面１９ｂに、第１磁石１６ｃと磁力的に、反発しあう第２磁石１６ｄが、固定配置されていることを特徴とする眼鏡１０である。
さらに言えば、第１磁石１６ｃ及び第２磁石１６ｄは、対向する第１部材１６ａの端面１９ａ及び第２部材１６ｂの端面１９ｂに、それぞれ圧入するための空間を設けて、あるいは、接触するように、埋設して固定配置すれば良い。
但し、第１磁石１６ｃ及び第２磁石１６ｄが脱落しにくいように、それぞれの端面１９ａ、１９ｂに圧接するか、接着剤等を用いて固定するか、さらには、固定状態を保持する表面部材等を用いることも好ましい。
【００２１】
なお、後述するように、ヒンジ部１６を構成する第１部材１６ａ及び第２部材１６ｂは、それぞれテンプル１２と、フレーム１４とを連結し、これらの回転に対応して、所定角度（約９０°）の範囲で回転できるように支持されていれば良い。
したがって、１６ａ及び第２部材１６ｂは、テンプル１２やフレーム１４とは別部材から構成されていても良く、あるいは、それぞれテンプル１２やフレーム１４の一部として、一体的に構成されていても良い。
【００２２】
さらには、図１（ｂ）の吹き出し円に示すように、ガイド部材１６ｇを備えた第１部材１６ａが、テンプル１２に延設されていても良く、あるいは、フレーム１４のいずれかに延設されていても良い。
したがって、逆に、第１部材１６ａの態様に応じて、ガイド部材１６ｇに沿ってスライドする軸部１６ｆを備えた第２部材１６ｂが、フレーム１４に延設されていても良く、あるいは、テンプル１２のいずれかに延設されていても良い。
【００２３】
そして、図１（ｂ）に示すように、眼鏡１０におけるテンプル１２の開放動作を考慮すると、記号Ｐ１で表される位置が、テンプル１２がフレーム１４に対して、開状態であって、眼鏡１０を使用する際の状態である。
但し、第１部材１６ａに固定配置した第１磁石１６ｃと、第２部材１６ｂに固定配置した第２磁石１６ｄと、の間に生じる反発力あるいは準反発力（磁石の中心軸がずれている場合の反発力）を規制する構成によって、第１部材１６ａが、第２部材１６ｂに対して、所定力をもって付勢することになる。
よって、眼鏡１０を使用し、装着している際においても、テンプル１２が緩むことが少なく、爽快なフィット感を保持することができる。
【００２４】
次いで、眼鏡１０において、記号Ｐ２で表される位置が、テンプル１２の長さ方向に沿って、約１０°の角度（θ１）となるように、テンプル１２を閉じる方向とした場合の先端部の位置を示している。
そして、この程度の閉状態では、上述した第１磁石１６ｃと、第２磁石１６ｄとの間に生じる反発力あるいは準反発力によって、テンプル１２の先端部がもとの位置（Ｐ１）に戻ることが判明している。
【００２５】
次いで、眼鏡１０において、記号Ｐ３で表される位置が、テンプル１２の長さ方向に沿って、約４５°の角度（θ３）となるように、テンプル１２を閉じる方向とした状態を示している。
そして、かかる程度の閉状態の場合には、上述した第１磁石１６ｃと、第２磁石１６ｄとの間に生じる反発力あるいは準反発力を調整することによって、テンプル１２の先端部がもとの位置（Ｐ１）に戻るように調整することもできるし、あるいは、テンプル１２の先端部が閉じた位置（Ｐ５）に、半自動的に動作するように調整できる判明している。
【００２６】
最後に、眼鏡１０において、記号Ｐ３で表される位置が、テンプル１２の長さ方向に沿って、約６０°の角度（θ４）となるように、テンプル１２を閉じる方向とした状態を示している。
そして、この閉状態の場合には、上述した第１磁石１６ｃと、第２磁石１６ｄとの間に生じる反発力あるいは準反発力が、逆に作用して、テンプル１２の先端部が、完全に閉じる状態の位置（Ｐ５）となるように、半自動的に動作することが判明している。
【００２７】
よって、これらの動作をまとめると、フレーム１４及びテンプル１２が最終的に開いた状態から閉じる状態にするには、比較的大きな力を要するとともに、一端、これらが開閉した後には、開き角度にもよるが、ほぼ半自動的に開状態又は閉状態となり、いわゆる「あがき動作」をすることが理解される。
したがって、眼鏡１０を使用している際には、フレーム１４及びテンプル１２が開いた状態であるが、多少、外部から力が加わったような場合であっても、開いた状態をそのまま保持することができる。
一方、眼鏡１０を使用していない際には、フレーム１４及びテンプル１２が閉じた状態であるが、多少、外部から力が加わったような場合であっても、所定角度θ４となって、閉じた状態をそのまま保持することができる。
なお、上述した説明は、眼鏡１０において、フレーム１４及びテンプル１２が、最終的に開いた状態（Ｐ１）から、閉じた状態（Ｐ５）となることを想定したが、テンプル１２を閉じた状態（Ｐ５）から、開いた状態（Ｐ１）にする場合も、同様の「あがき動作」をすることが理解される。
【００２８】
２．テンプル
（１）基本的形態
テンプル１２の基本的形態として、図２〜図４に示されるような、ヒンジ部１６を端部に備えたテンプル１２の態様とすることが好ましい。
すなわち、図２（ａ）〜（ｂ）は、それぞれヒンジ部１６を備えたテンプル１２を説明するために供する斜視図である。
なお、図２（ａ）は、主としてヒンジ部１６を備えたテンプル１２を外側側面から見た斜視図であり、図２（ｂ）は、主としてヒンジ部１６を備えたテンプル１２を内側側面から見た斜視図である。
【００２９】
そして、基本的形態として、図２（ａ）〜（ｂ）に示されるように、ヒンジ部１６を備えたテンプル１２は、フレーム（図示せず）に近い先端部から、フレーム取り付け部１４ａ（Ａ部）と、ヒンジ部１６（第１部材１６ａ及び第２部材１６ｂ）（Ｂ部）と、テンプル取り付け部１９（Ｃ部）と、テンプルの本体部２０（Ｄ部）と、若干湾曲したテンプルの耳掛け部２２（Ｅ部）と、から構成してあることが好ましい。
【００３０】
また、図３（ａ）〜（ｃ）は、主として、ヒンジ部１６を備えたテンプル１２の上面、側面、及び下面を、それぞれ説明するために供する図である。
すなわち、図３（ａ）のヒンジ部１６を備えたテンプル１２の上面に示されるように、フレーム（図示せず）に近い先端部から、例えば、フレーム取り付け部１４ａ（Ａ部）と、ヒンジ部１６（第１部材１６ａ及び第２部材１６ｂ）（Ｂ部）と、テンプル取り付け部１９（Ｃ部）と、テンプルの本体部２０（Ｄ部）と、若干湾曲したテンプルの耳掛け部２２（Ｅ部）と、から構成してあることが好ましい。
【００３１】
そして、かかる図３（ａ）の上面図から理解されるように、テンプルの耳掛け部２２の周囲には、一例として、軟質樹脂カバー２２ａが設けてあり、滑り止め効果や、衝撃吸収効果を発揮することができる。
さらにまた、かかる図３（ａ）の上面図から理解されるように、テンプル取り付け部１９は、ヒンジ部１６に向かって、肉厚になっており、ヒンジ部１６の第１部材１６ａの端面１９ａに、第１磁石１６ｃが、固定配置しやすくなっている。
但し、磁石を固定配置することによって、過度に重くならないように、テンプル取り付け部１９の側面には、図３（ｂ）に示すように、複数のスリット及び補強骨が設けてあることが好ましい。
【００３２】
一方、テンプル取り付け部１９の側面反対側には、回転駆動の際に荷重が付加された場合であっても、均等に荷重が分散するように、補強部材１８が設けてあることが好ましい。
そして、かかる補強部材１８及び第１部材１６ａは、一体的な構成となるように、同一樹脂等から作成されていることが好ましい。
【００３３】
その上で、第１部材１６ａに設ける第１磁石１６ｃを、一体的に作成された補強部材１８及び第１部材１６ａにまたがって、固定配置することも好ましい。
すなわち、補強部材１８にまたがって第１磁石１６ｃを固定配置した場合、第１磁石１６ｃにおいて想定される中心線と、第２磁石１６ｄにおいて想定される中心線とが、ずれるように、複数の磁石１６ｃ、１６ｄを固定配置しやすいためである。
より具体的には、第１磁石１６ｃの磁力線と、第２磁石１６ｄの磁力線による反発力がずれた状態で発生する、すなわち、準反発力が発生しやすいように構成することができる。
したがって、ヒンジ部１６を介して、フレーム取り付け部１４ａと、テンプル取り付け部１９につき、フレーム１４及びテンプル１２の最終的な位置から開閉するには、それぞれ比較的大きな力を要するとともに、一端、開閉した後には、ほぼ半自動的に開閉可能とすることができ、よって、いわゆる「あがき動作」可能な眼鏡を提供することができる。
【００３４】
また、図３（ｂ）のヒンジ部１６を備えたテンプル１２の側面に示されるように、当該テンプル１２は、フレーム（図示せず）に近い方から、フレーム取り付け部１４ａ（Ａ部）と、ヒンジ部１６（第１部材１６ａ及び第２部材１６ｂ）（Ｂ部）と、テンプル取り付け部１９（Ｃ部）と、テンプルの本体部２０（Ｄ部）と、若干湾曲したテンプルの耳掛け部２２（Ｅ部）と、から構成してあることが好ましい。
そして、かかる図３（ｂ）の側面図から理解されるように、テンプル取り付け部１９は、ヒンジ部１６に向かって、幅広になっており、ヒンジ部１６の第１部材１６ａの端面１９ａに、第１磁石１６ｃが、固定配置しやすくなっている。
また、かかる図３（ｂ）の側面図から理解されるように、フレーム取り付け部１４ａ（Ａ部）と、ヒンジ部１６（Ｂ部）と、を連結すべく、側方から圧接するための連結部材１４ｂが設けてあることが好ましい。
なお、かかる連結部材１４ｂは、テンプル１２が開く角度を規制する機能も有しており、当該テンプル１２と、フレーム１４がなす角度を、例えば、図１（ａ）〜（ｂ）に示すような角度（０〜１１０度、好ましくは０〜１００度）となるように調整していることが好ましい。
【００３５】
さらにまた、図３（ｃ）のヒンジ部１６を備えたテンプル１２の下面は、図３（ａ）のヒンジ部１６を備えたテンプル１２の上面と、対称関係にあって、フレーム（図示せず）に近い先端部から、例えば、フレーム取り付け部１４ａ（Ａ部）と、ヒンジ部１６（第１部材１６ａ及び第２部材１６ｂ）（Ｂ部）と、テンプル取り付け部１９（Ｃ部）と、テンプルの本体部２０（Ｄ部）と、若干湾曲したテンプルの耳掛け部２２（Ｅ部）と、から構成してあることが好ましい。
【００３６】
その他、図４（ａ）〜（ｂ）は、図３（ｂ）のＡ−Ａ切断線に沿って切断した場合、及び図３（ｃ）のＢ−Ｂ切断線に沿って切断した場合において、それぞれ切断面を矢印方向から見た断面図である。
すなわち、図４（ａ）に示されるように、ヒンジ部１６を備えたテンプル１２の断面によれば、第１部材１６ａの端面１９ａに、所定凹部が設けてあり、そこに第１磁石１６ｃが、埋設された状態で、固定配置してあることが理解される。
また、図４（ｂ）に示されるように、ヒンジ部１６を備えたテンプル１２の別の断面によれば、第１部材１６ａの端面１９ａに対向する第２部材１６ｂの端面１９ｂに、所定凹部が設けてあり、そこに第２磁石１６ｄが、埋設された状態で固定配置してあることが理解される。
そして、第１磁石１６ｃや第２磁石１６ｄが脱落しないように、図示しないものの、接着剤等を用いてもよいし、あるいは、第１磁石１６ｃや第２磁石１６ｄの端面１９ａ、１９ｂのさらに表面に、脱落防止カバーを設けても良い。
【００３７】
（２）材質
また、テンプルを構成する材質は、特に制限されるものでないが、耐久性、軽量性、機械加工性、ファッション性、さらには、ヒンジ部の取り付け性等を考慮して定めることが好ましい。
したがって、セロイド樹脂、アクリル樹脂、塩化ビニール樹脂、オレフィン樹脂、アセタール樹脂、エポキシ樹脂、シリコーン樹脂等の樹脂製でも良く、ジルコニア材料、アルミナ材料等のセラミック製でも良く、チタンやチタン合金等の金属製でも良く、あるいは、これらの材料の組み合わせからなる複合材から、テンプルが構成されていても好ましい。
【００３８】
３．フレーム
（１）基本的形態
また、フレーム１４は、図１（ａ）〜（ｂ）に示されるように、眼鏡１０における一対のレンズ部材１４ｄを、左右箇所に収容する主要部材である。
そして、フレーム１４は、テンプル１２との関係では、ヒンジ部１６を介して、所定角度の範囲で回転可能な状態で連結されている。
【００３９】
したがって、使用時には、図１（ｂ）に示されるように、ヒンジ部１６を介して、左右のテンプル１２を所定箇所まで開くことができ、レンズ部材１４ｄを含むフレーム１４を顔の所定箇所に対して、容易に装着することができる。
一方、保管時には、ヒンジ部１６を介して、左右のテンプル１２を折りたたむことができ、フレーム１４と、テンプル１２とが重なって、眼鏡１０を全体として、小型化することができ、眼鏡ケース等に収用できる態様である。
すなわち、図１（ａ）の正面図や図１（ｂ）の平面図に示されるように、フレーム１４は、眼鏡１０のレンズ部材１４ｄを固定するとともに、顔の所定箇所に装着するための主要部材であって、そのため、一対の八の字状の鼻押さえ１４ｃが設けてあることが好ましい。
【００４０】
（２）材質
また、フレームを構成する材質は、特に制限されるものでないが、耐久性、軽量性、機械加工性、ファッション性、さらには、レンズ部材の取り付け性やヒンジ部の取り付け性等を考慮して定めることが好ましい。
したがって、テンプルと同様に、フレームについても、所定の樹脂製でも良く、セラミック製でも良く、金属製でも良く、あるいは、これらの材料の組み合わせからなる複合材から構成されていても好ましい。
【００４１】
４．ヒンジ部
（１）基本的形態１
図５（ａ）〜（ｂ）に、基本的形態の一つとして、ヒンジ部１６の基本的形態を示すとともに、その動作を説明する。
図５（ａ）は、フレーム（図示せず）及びそれに連なるフレーム取り付け部１４ａが、テンプル（図示せず）及びそれに連なるテンプル取り付け部１９に対して、開状態であって、ヒンジ部１６が直線状となり、眼鏡１０を使用する際の状態であることを示している。
一方、図５（ｂ）は、フレーム（図示せず）及びそれに連なるフレーム取り付け部１４ａが、テンプル（図示せず）及びそれに連なるテンプル取り付け部１９に対して、閉状態であって、ヒンジ部１６が９０°に曲がっており、眼鏡１０を閉じて、使用しない状態であることを示している。
【００４２】
ここで、図５（ａ）〜（ｂ）に示されるように、ヒンジ部１６は、第１部材１６ａと、当該第１部材１６ａに対して、回転支持される第２部材１６ｂと、を備えている。
そして、第１部材１６ａの端面１９ａに、第１磁石１６ｃが固定配置されているとともに、第２部材１６ｂの端面１９ｂに、第１磁石１６ｃと磁力的に準反発関係（部分的な反発関係）となるように、第２磁石１６ｄが、若干ずれた状態で固定配置されている。
すなわち、図５（ａ）に示されるように、第１磁石１６ｃの中心軸Ｔ１と、第２磁石１６ｄの中心軸Ｔ２とは、一致していない。より具体的には、第１磁石の１６ｃのＳ極又はＮ極を結ぶ中心軸Ｔ１と、第２磁石１６ｄのＳ極又はＮ極を結ぶ中心軸Ｔ２とが、それぞれ軸方向に沿って眺めた場合に、一致しないように、第１磁石１６ｃ及び第２磁石１６ｄが、相互に固定配置されている
よって、第１部材１６ａ及び第２部材１６ｂのそれぞれに設けてある第１磁石１６ｃ及び第２磁石１６ｄの間に、同極性（Ｓ極同士又はＮ極同士）、あるいは、第１磁石１６ｃのＳ極又はＮ極と、第２磁石１６ｄの側面との間に、相互の磁束密度に起因した、磁力的に大きな準反発関係が生じることになる。
逆に言えば、第１磁石１６ｃ及び第２磁石１６ｄが、より小型及び軽量の磁石であっても、所定の準反発力等を得て、上述した半自動開閉操作を、さらに容易に行うことができる。
以上の説明から明らかなように、ヒンジ部１６における第１部材１６ａ及び第２部材１６ｂは、所定距離までしか近接せず、準反発方向に沿って、それらを弾性的に付勢する態様とすることができ、フレーム１４及びテンプル１２を開閉した後には、ほぼ半自動的に開閉可能な、いわゆる「あがき動作」可能な眼鏡を提供することができる。
【００４３】
また、図５（ａ）に示されるように、第１部材１６ａの端面１９ａに、第１磁石１６ｃのＳ極又はＮ極が存在する一方、第２部材１６ｂの端面１９ｂに、第２磁石１６ｄのＳ極及びＮ極が存在しないように、第１磁石１６ｃ及び第２磁石１６ｄが、相互に固定配置されていることが好ましい。
この理由は、このように構成することにより、第１磁石１６ｃ及び第２磁石１６ｄの、相互の磁束密度に起因した、準反発力等を、さらに大きな値とすることができるためである。したがって、第１磁石１６ｃ及び第２磁石１６ｄがより小型及び軽量の磁石であっても、所定の準反発力等を、確実に得ることができ、ひいては、上述した半自動開閉操作を、さらに容易に行うことができる。
【００４４】
このような状況下、図５（ｂ）に示すとおり、矢印Ｃに示すように、テンプル（図示せず）及びそれに連なるテンプル取り付け部１９を回転させるか、あるいは、矢印Ｃ´に示す方向に、フレーム（図示せず）及びそれに連なるフレーム取り付け部１４ａに回転させることにより、図５（ａ）に示すように、眼鏡１０を使用する際の状態とすることができる。
【００４５】
（２）基本的形態２
図６（ａ）〜（ｃ）に示されるように、ヒンジ部１６の別の基本的形態の一つとして、ガイド部材１６ｇと、軸部１６ｆとから構成されており、ガイド部材１６ｇの内周面や、側壁に沿って、軸部１６ｆがスライドできるとともに、連結部材等（図示せず。）で規制されながら、所定角度（一例として、約９０度）の範囲で回転し、眼鏡１０の使用状況に応じて、テンプル１２が、フレーム１４に対して、開閉できる態様とすることが好ましい。
【００４６】
ここで、図６（ａ）は、ヒンジ部１６が開いた状態の上面図、図６（ｂ）は、ヒンジ部が開いた状態の断面状態を説明するための図、及び、図６（ｃ）は、ヒンジ部１６が閉じた状態の上面図をそれぞれ示す。
より具体的には、テンプル１２（図示せず）及びそれに連なるテンプル取り付け部１９が、ヒンジ部１６を介して、フレーム１４及びそれに連なるフレーム取り付け部１４ａに対して連結されているとともに、ヒンジ部１６が、所定方向に沿って伸縮する眼鏡１０である。
すなわち、ヒンジ部１６が、ガイド部材１６ｇを備えた第１部材１６ａと、当該ガイド部材１６ｇに対して、回転支持されるとともに、ガイド部材１６ｇに沿ってスライドする軸部１６ｆを備えた第２部材１６ｂと、を有している。
【００４７】
そして、第１部材１６ａに設けられるガイド部材１６ｇとしては、第２部材１６ｂに設けられる軸部１６ｆの動きを規制し、所定方向のみに沿って、当該軸部１６ｆがスライドするとともに、当該軸部１６ｆが、ガイド部材１６ｇの内部で、回転移動できる構成であれば良い。
したがって、このようなガイド部材１６ｇとしては、第１部材１６ａの上面を貫通する長孔、同様に貫通する長溝、第１部材の上面を貫通せずに、上面の裏面に形成された長孔、同様に貫通しない長溝、さらには、同様に貫通しないレール状突起等の少なくとも一つであることが好ましい。
また、第２部材１６ｂに設けられる軸部１６ｆに関しても、必ずしも一つである必要はなく、ガイド部材１６ｇに沿って、複数個、例えば、２〜３個の軸部１６ｆを有することも好ましい。
さらに言えば、ガイド部材１６ｇを複数個（複数孔）設けて、そのガイド部材１６ｇと対応させ、それぞれに軸部１６ｆを設けて、ガイド部材１６ｇの数と同数とすることも好ましい。
【００４８】
また、ヒンジ部１６、すなわち、テンプル１２が、所定方向に沿って伸縮する長さを１〜２０ｍｍの範囲内の値とすることが好ましい。
この理由は、かかる伸縮する長さが１ｍｍ未満の値になると、顔のサイズ等が異なる多くの人に対応する、装着が容易で、かつフィット感に優れた眼鏡１０を提供することが困難となる場合があるためである。
一方、かかる伸縮する長さが２０ｍｍを超えると、ヒンジ部１６におけるガイド部材１６ｇの大きさが大きくなったり、長さが長くなったりして、全体としての重量バランスが崩れ、やはりフィット感に優れた眼鏡１０を提供することが困難となる場合があるためである。
したがって、ヒンジ部１６、すなわち、テンプル１２が、所定方向に沿って伸縮する長さを２〜１０ｍｍの範囲内の値とすることがより好ましく、３〜８ｍｍの範囲内の値とすることがさらに好ましい。
【００４９】
（３）材質
ヒンジ部１６を構成する材質は、特に制限されるものでなく、耐久性、軽量性、機械加工性、さらには、伸縮性や回転駆動性を考慮して定めることが好ましい。
したがって、テンプルやフレームと同様に、ヒンジ部（第１部材及び第２部材）についても、所定の樹脂製でも良く、セラミック製でも良く、金属製でも良く、あるいは、これらの材料の組み合わせからなる複合材から構成されていても好ましい。
【００５０】
（４）磁石
また、ヒンジ部１６において、その一部を構成する第１部材１６ａの端面に、第１磁石１６ｃが、固定配置されているとともに、ヒンジ部１６の一部をさらに構成する第２部材１６ｂの端面に、第１磁石１６ｃと磁力的に、反発しあう第２磁石１６ｄが、固定配置されていることを基本的特徴とする。
すなわち、ヒンジ部１６を構成する第１部材１６ａ及び第２部材１６ｂに、それぞれ固定配置してなる複数の磁石（第１磁石１６ｃ及び第２磁石１６ｄ）の反発力（それぞれ磁石の中心軸が一致している場合）あるいは準反発力（それぞれ磁石の中心軸が所定距離ずれており、一致していない場合）を利用して、ヒンジ部１６の開閉が容易かつ、開状態か、あるいは、閉状態のいずれかの状態になるように、サポートすることができる。
このことから、眼鏡を構成した場合であっても、かかるヒンジ部１６を介して、テンプルとフレームの間の開閉状態が、基本的に、開状態か、あるいは、閉状態のいずれかの状態になるように、半自動的に動作することができる。
【００５１】
また、第１磁石１６ｃ及び第２磁石１６ｄが、それぞれ直方体又は円柱体であって、かつ、これら第１磁石１６ｃの端面と、第２磁石１６ｄの端面とが、対向配置してあることが好ましい。
この理由は、このように構成することにより、第１磁石１６ｃ及び第２磁石１６ｄの、相互の磁束密度に起因した、反発力あるいは準反発力を有効に用いて、所望の値に調整することができるためである。
【００５２】
ここで、具体的には、第１磁石及び第２磁石の種類は、特に制限されるものではないが、希土類磁石であるネオジウム磁石（Ｎｄ2Ｆｅ14Ｂ等）、サマリウムコバルト磁石（ＳｍＣｏ5等）、プラセオジム磁石（ＰｒＣｏ5等）、アルニコ磁石、サマリウム鉄窒素磁石等であることが好ましい。
この理由は、これらの希土類磁石であれば、残留磁束密度（Ｂｒ）が大きく、かつ、保持力（Ｈｃ）が高く、第１磁石及び第２磁石の間の吸着力や反発力を所望範囲に制御できるとともに、小型化、軽量化に資するためである。
より具体的には、残留磁束密度（Ｂｒ）を５〜１０ｋＧの範囲内の値としたり、保持力（Ｈｃ）を５〜２０ｋＯｅの範囲内の値としたり、その結果、吸着力を０．１〜５ｋｇｆの範囲内の値とすることが好ましい。
なお、第１磁石１６ｃ及び第２磁石１６ｄの吸着力等は、それぞれ等しいほうが好ましい。
但し、眼鏡の重量や取り付け性との関係で、第１磁石１６ｃ及び第２磁石１６ｄの吸着力を変えて、例えば、第１磁石１６ｃの吸着力を、第２磁石１６ｄのそれよりも小さくしたり、逆に大きくしたりすることも好ましい。
【００５３】
また、磁石（第１磁石及び第２磁石）の主成分が希土類磁石であって、かつ、表面に、ニッケル被覆が設けてあることが好ましい。
この理由は、このように希土類の永久磁石である希土類磁石を含んで構成することにより、フェライト磁石等と比較して、例えば、磁束密度を８キロガウス以上の高い値とすることができるためである。
したがって、希土類磁石を含んで構成することにより、所定の反発力等を得るにあたり、第１磁石及び第２磁石を小型化及び軽量化することができる。
そして、希土類磁石の表面に、ニッケル被覆が設けてあることにより、磁石（第１磁石及び第２磁石）が錆び難くなって、磁束密度の変化を少なくし、ひいては相互の磁束密度に起因した、反発力の値を、比較的大きな値として、長期間にわたって維持することができる。
但し、第１磁石１６ｃ及び第２磁石１６ｄの主成分の種類を変えることも好ましい。すなわち、磁石の磁束密度の関係や、ヒンジ部との関係や、眼鏡の重量との関係で、第１磁石１６ｃ及び第２磁石１６ｄの主成分を変えて、例えば、第１磁石１６ｃは、フェライト磁石を主成分とし、第２磁石の主成分のみを希土類磁石とすることも好ましい。
【００５４】
また、第１磁石及び第２磁石（直方体又は円柱体を想定）を、これら長さ方向のいずれかの箇所で切断した場合の断面積を、１〜１００ｍｍ2の範囲内の値とすることが好ましい。
すなわち、かかる断面積が過度に小さくなると、得られる反発力や準反発力が過度に小さくなる場合があるためである。
一方、かかる断面積が過度に大きくなると、相対的に、磁石の形態も大きくなって、固定配置することが困難となるばかりか、眼鏡としての重量も過度に重くなる場合があるためである。
したがって、磁石の断面積を、１０〜８０ｍｍ2の範囲内の値とすることがより好ましく、２０〜６０ｍｍ2の範囲内の値とすることがさらに好ましい。
なお、第１磁石１６ｃ及び第２磁石１６ｄの断面積は、それぞれ等しいほうが好ましい。
但し、眼鏡の重量や取り付け性、あるいは吸着力等との関係で、第１磁石１６ｃ及び第２磁石１６ｄの断面積を変えて、例えば、第１磁石１６ｃの吸着力を、第２磁石１６ｄのそれよりも小さくしたり、逆に大きくしたりすることも好ましい。
【００５５】
（５）ヒンジ部の変形例
（変形例１）
図７（ａ）に示すように、上側のガイド部材１６ｇが、テンプル１２から延設された第１部材１６ａの側面から見た場合、コの字状の開口部１６ｈの上面の一部に形成された、貫通していない長孔等であることが好ましい。
そして、それとともに、フレーム１４から延設された第２部材１６ｂの側面から見た場合、その下面に、下側のガイド部材１６ｇとして、貫通していない長孔等が形成してあることが好ましい。
この理由は、このように構成することにより、ガイド部材１６ｇや第２部材１６ｂに設ける軸部１６ｆが露出しないため、ゴミや塵等の侵入を原因とした、スライドや回転駆動の動作不良が減るばかりか、第１磁石１６ｃ及び第２磁石１６ｄの酸化劣化等を容易に防止することができるためである。
また、ガイド部材１６ｇが貫通していない長孔等であるため、軸部１６ｆが突出することなく、外観上も優れているためである。
【００５６】
（変形例２）
また、図７（ｂ）に示すように、上側のガイド部材１６ｇが、テンプル１２から延設された第１部材１６ａの側面から見た場合、コの字状の開口部１６ｈにおいて、その上面の一部に形成された、貫通していない長孔等であることが好ましい。
そして、それとともに、フレーム１４から延設された第２部材１６ｂの側面から見た場合、その下面に、下側のガイド部材１６ｇとして、貫通した開口部である長孔等が形成してあることが好ましい。
この理由は、このように構成することにより、ガイド部材１６ｇや第２部材１６ｂに設ける軸部１６ｆが露出しないため、上側から侵入しやすいゴミや塵等を原因とした、スライドや回転駆動の動作不良が減るばかりか、第１磁石１６ｃ及び第２磁石１６ｄの酸化劣化等を容易に防止することができるためである。
そして、下側のガイド部材１６ｇとしては、貫通した開口部である長孔等が設けてあることから、下側からであるが、スライドや回転駆動の動作不良を目視することができ、原因究明等が容易なためである。
その上、下側のガイド部材１６ｇを形成する際に、上側のガイド部材１６ｇである、貫通していない長孔等を、エンドミルやドリル等の研削冶具を用いて、同時形成できるという製造上の利点もある。
【００５７】
（変形例３）
また、図７（ｃ）に示すように、ガイド部材１６ｇが、テンプル１２から延設された第１部材１６ａの側面から見た場合、コの字状の開口部１６ｈの上面の一部に形成された、貫通した長孔等であるとともに、フレーム１４から延設された第２部材１６ｂの側面から見た場合、その下面には、軸部を設けておらず、平坦としてあることも好ましい。
この理由は、このように構成することにより、ヒンジ部１６の構成が簡略化されるとともに、製造時間も短縮化することができるためである。
【００５８】
（変形例４）
また、図７（ｄ）に示すように、上側及び下側のガイド部材１６ｇが、それぞれフレーム１４から延設された第２部材１６ｂの側面から見た場合、その上面及び下面の一部に、それぞれ形成された、貫通していない長孔等であることが好ましい。
そして、それとともに、テンプル１２から延設された第１部材１６ａの側面から見た場合、コの字状の開口部１６ｈを形成する第１部材１６ａの上面及び下面に、それぞれ軸部１６ｆを設けた態様であることも好ましい。
この理由は、このように構成することにより、ガイド部材１６ｇや軸部１６ｆが露出しないため、ゴミや塵等の侵入を原因とした、スライドや回転駆動の動作不良が減るばかりか、第１磁石１６ｃ及び第２磁石１６ｄの酸化劣化等を容易に防止することができるためである。
また、上側及び下側のガイド部材１６ｇが、それぞれ貫通していない長孔等であるため、軸部１６ｆが突出することなく、外観上も優れているためである。
【００５９】
［第２の実施形態］
本発明の第２の実施形態は、第１の実施形態である、テンプルが、ヒンジ部を介して、フレームに対して連結されている眼鏡の製造方法であって、下記工程（ａ）〜（ｄ）を含むことを特徴とする眼鏡の製造方法である。
（ａ）テンプルを準備する工程
（ｂ）フレームを準備する工程
（ｃ）ヒンジ部が、第１部材と、それに対して回転支持される第２部材と、を有しており、かつ、第１部材の端面に、第１磁石が固定配置されているとともに、第２部材の端面に、第１磁石と磁力的に反発関係又は準反発関係となるように、第２磁石を固定配置する工程を含んでなるヒンジ部を構成する工程
（ｄ）テンプルと、フレームとを、ヒンジ部を介して、連結し、眼鏡とする工程
すなわち、このように所定工程を実施することにより、第１部材及び第２部材のそれぞれに設けてある第１磁石及び第２磁石の間に、磁力的に反発関係又は準反発関係が生じることになる。
したがって、第１部材及び第２部材は、所定距離までしか近接せず、反発方向等に沿って、それらを弾性的に付勢する態様とすることができ、さらには、所定の第１部材に対して、所定の第２部材が回転支持されていることから、眼鏡を構成した場合に、簡易構造であっても、いわゆ「あがき動作」をしながら、フレームと、テンプルを半自動的に開閉可能な眼鏡を効率的に製造することができる。
【００６０】
なお、工程（ａ）〜（ｂ）の実施順序は不問であって、工程（ｂ）を実施した後、工程（ａ）を実施しても良い。
さらには、工程（ａ）〜（ｂ）において、それぞれヒンジ部を備えたテンプルや、ヒンジ部を備えたフレームを準備する場合には、工程（ｃ）を、工程（ａ）又は工程（ｂ）と同時実施することにほかならない。
したがって、そのような場合には、工程（ａ＋ｃ）、工程（ｂ）、工程（ｄ）の内容に沿うように順次実施するか、工程（ａ）、工程（ｂ＋ｃ）、工程（ｄ）の内容に沿うように順次実施することになる。
【００６１】
１．工程（ａ）：テンプルを準備する工程
当該工程（ａ）は、所定形状のテンプルを準備する工程である。
ここで、所定形状のテンプルとしては、所定ヒンジ部を備えていないテンプル自体の態様であっても良いが、製造工程が簡略化、迅速化できることから、図２〜図４に示されるような、ヒンジ部を端部に備えたテンプルを予め準備するのが好ましい。
すなわち、ガイド部材を備えた第１部材と、当該ガイド部材に対して、回転支持されるとともに、ガイド部材に沿ってスライドするか、あるいは、所定場所の軸部を備えた第２部材と、から構成してなるヒンジ部を端部に備えたテンプルを準備するのが好ましい。
【００６２】
２．工程（ｂ）：フレームを準備する工程
当該工程（ｂ）は、所定形状のフレームを準備する工程である。
ここで、所定形状のテンプルとしては、所定ヒンジ部を備えていないフレーム自体の態様であっても良いが、製造工程が簡略化、迅速化できることから、ヒンジ部を端部に備えたフレームを予め準備するのが好ましい。
但し、工程（ａ）において、ヒンジ部を端部に備えたテンプルを準備する場合には、重複することから、所定ヒンジ部を備えていないフレーム自体を準備すれば良い。
【００６３】
３．工程（ｃ）：ヒンジ部を構成する工程
当該工程（ｃ）は、ガイド部材を備えた第１部材と、当該ガイド部材に対して、回転支持されるとともに、ガイド部材に沿ってスライドする軸部を備えた第２部材と、からヒンジ部を構成する工程である。
そして、ヒンジ部を構成する工程には、第１部材の端面に、第１磁石が固定配置するとともに、第２部材の端面に、第１磁石と磁力的に反発しあう第２磁石を固定配置する工程も含んでいる。
よって、工程（ａ）において、ヒンジ部を端部に備えたテンプルを準備する場合であっても、工程（ｃ）において、第１部材の端面に、第１磁石が固定配置するとともに、第２部材の端面に、第１磁石と磁力的に反発しあう第２磁石を固定配置する工程を行うことが好ましい。
【００６４】
４．工程（ｄ）：眼鏡とする工程
当該工程（ｄ）は、準備した所定形状のテンプルと、所定形状のフレームとを、第１部材及び第２部材を含む、所定のヒンジ部を介して、連結し、最終的に眼鏡とする工程である。
そして、工程（ａ）において、ヒンジ部を端部に備えたテンプルを準備する場合には、工程（ｃ）において、第１部材の端面に、第１磁石が固定配置するとともに、第２部材の端面に、第１磁石と磁力的に反発しあう第２磁石を固定配置する工程を行った後、工程（ｂ）で準備したフレームを、連結すれば良い。
なお、所定形状のテンプルと、所定形状のフレームとを、ヒンジ部を介して、連結するにあたり、例えば、図３（ｂ）に示すように、連結部材１４ｂを用いることも好ましい。
【産業上の利用可能性】
【００６５】
本発明の眼鏡によれば、第１部材及び第２部材にそれぞれ固定配置してある磁石の反発力（又は準反発力）を利用して、テンプルが所定距離以上は近接しないことから、フレーム及びテンプルの開閉状態の最終位置から、閉じたり、開いたりするには、それなりに力を要するとともに、一端、開閉した後には、ほぼ半自動的に開閉動作可能、いわゆる「あがき動作」が可能な眼鏡、及びそのような眼鏡の製造方法に関する。
また、本発明の眼鏡によれば、長孔等の長さを変えるだけで、テンプルの長さも変更できることから、簡易構造であっても、顔のサイズ（奥行き）等が異なる人に対応することが容易で、かつフィット感に優れた眼鏡を提供できるようになった。
【００６６】
また、本発明の製造方法によれば、第１部材及び第２部材にそれぞれ固定配置してある磁石の反発力（又は準反発力）を利用して、テンプルが所定距離以上は近接しないことから、フレーム及びテンプルの開閉状態の位置から、閉じたり、開いたりするには、それなりに力を要するとともに、一端、開閉した後には、ほぼ半自動的に開閉動作可能、いわゆるあがき動作が可能な眼鏡効率的に製造することができるようになった。
その上、本発明の眼鏡によれば、長孔等の長さを変えるだけで、簡易構造であっても、簡易構造であっても、顔のサイズ（奥行き）等が異なる人に対応することが容易で、かつフィット感に優れた眼鏡を効率的に製造することができるようになった。
【００６７】
その他、本発明のヒンジ部は、眼鏡のヒンジ部のみならず、ドアや蓋等、あるいは蝶番が用いられる各種用途において、所定ヒンジ部としても、幅広く使用可能である。
【符号の説明】
【００６８】
１０：眼鏡
１２：テンプル
１４：フレーム
１４ａ：フレーム取り付け部
１４ｂ：連結部材
１４ｃ：鼻押さえ
１４ｄ：レンズ部材
１６：ヒンジ部
１６ａ：第１部材
１６ｂ：第２部材
１６ｃ：第１磁石
１６ｄ：第２磁石
１６ｅ：回転部材
１６ｆ：回転軸
１６ｇ：ガイド部材
１６ｈ：テンプル取り付け部
１８：補強部材
１９：テンプル取り付け部
１９ａ，１９ｂ：端面
２０：テンプル本体部
２２：テンプル耳掛け部
【図１】
2017173571.tif 000003
【図２】
2017173571.tif 000004
【図３】
2017173571.tif 000005
【図４】
2017173571.tif 000006
【図５】
2017173571.tif 000007
【図６】
2017173571.tif 000008
【図７】
2017173571.tif 000009
【図８】
2017173571.tif 000010